【事件の表示】
　特願２０１１−　５６００９「アナライザーアッセンブリプラットホーム」拒絶査定不服審判事件〔平成２３年１０月　６日出願公開、特開２０１１−１９７０００〕について、次のとおり審決する。
【結　論】
　本件審判の請求は、成り立たない。
【理　由】
第１　手続の経緯
　本願は，平成２３年３月１４日（パリ条約による優先権主張　２０１０年３月１７日　 欧州特許庁）の出願であって，平成２６年８月１２日付けで拒絶理由が通知され，同年１１月１９日に意見書及び手続補正書が提出され，平成２７年４月２２日付けで拒絶査定されたところ，同年８月２６日に拒絶査定不服審判の請求がなされ，当審において平成２８年４月１９日付けで拒絶理由が通知され，同年１０月２６日に意見書及び手続補正書が提出され，当審において同年１１月２９日付けで拒絶理由（以下「当審拒絶理由」という。）が通知され，平成２９年６月６日に意見書及び手続補正書が提出されたものである。
第２　本願発明
　本願の請求項１ないし１５に係る発明は，平成２９年６月６日に提出された手続補正書により補正された特許請求の範囲の請求項１ないし１５に記載された事項により特定される発明であり，その請求項７に係る発明（以下，「本願発明」という。）は以下のとおりの発明である。
「【請求項７】
　検体の分析の固有のパートを実施する少なくとも２のユニットを具備する分析装置を含むシステムであって，以下の：
　　ａ．　第一プラットホームを形成する少なくとも１のプラットホーム要素，ここで複数のプラットホーム要素が使用される場合，複数のプラットホーム要素が集まって第一プラットホームを形成し；
　　ｂ．　前記プラットホーム要素を表面上に配置するための複数の脚部であって，個別に高さを調節でき，第一プラットホームの底面に設置される脚部；
　を含み，当該システムが，さらに
　第一プラットホーム上にマウントされる第二プラットホームを含み，第二プラットホームが第一プラットホーム上を水平方向に移動可能であり，ここで前記分析装置の前記少なくとも２のユニットが，第二プラットホームにマウントされ，そして分析装置の１のユニットが，当該ユニットに隣接する少なくとも１のユニットの内の他のユニットに連結される，前記システム。」
第３　引用文献，引用発明等
１　引用文献１について
（１）引用文献１に記載された事項
　当審拒絶理由に引用された，本願の優先日前に頒布された刊行物である，特開２００８−１３９１１６号公報（以下，「引用文献１」という。）には，図面とともに次の事項が記載されている（下線は当審による）。
（引１ａ）「【請求項１】
  検体を処理するための第１検体処理装置，第２検体処理装置および第３検体処理装置を備えた検体処理システムであって，
  前記第２検体処理装置および前記第３検体処理装置の少なくとも一方を前記第１検体処理装置に対して第１方向に移動させるための第１移動機構と，
  前記第２検体処理装置および前記第３検体処理装置の少なくとも一方を第１方向と交差する第２方向に移動させるための第２移動機構とをさらに備える，検体処理システム。
【請求項２】
  前記第１移動機構は，前記第２検体処理装置を保持するための第１保持部と，前記第３検体処理装置を保持するための第２保持部と，前記第１保持部および前記第２保持部を前記第１方向に移動可能に案内するための第１案内部とを含み，
  前記第２移動機構は，前記第１案内部を前記第２方向に移動可能に案内するための第２案内部を含む，請求項１に記載の検体処理システム。」
（引１ｂ）「【技術分野】
【０００１】
  この発明は，検体処理システムに関し，特に，所定の方向に並べて設置された複数の検体処理装置を備えた検体処理システムに関する。」
（引１ｃ）「【発明の開示】
【発明が解決しようとする課題】
【０００６】
  しかしながら，上記特許文献１に記載の検体処理システムでは，検体処理装置を所定の１方向にしかスライドさせることができない。したがって，検体処理装置がスライドされる方向に障害物がある場合には，２つの検体処理装置を離間させることが困難となるため，検体処理装置の修理や保守などを行なうことが困難となるという不都合がある。このため，上記特許文献１の検体処理システムでは，使用者による検体処理装置の修理や保守などを考慮した場合に設置場所が制限されるという問題点がある。
【０００７】
  この発明は，上記のような課題を解決するためになされたものであり，この発明の１つの目的は，設置場所が制限されるのを抑制するとともに，検体処理装置の修理や保守などを使用者が容易に行なうことが可能な検体処理システムを提供することである。
【課題を解決するための手段および発明の効果】
【０００８】
  この発明の第１の局面による検体処理システムは，検体を処理するための第１検体処理装置，第２検体処理装置および第３検体処理装置を備えた検体処理システムであって，第２検体処理装置および第３検体処理装置の少なくとも一方を第１検体処理装置に対して第１方向に移動させるための第１移動機構と，第２検体処理装置および第３検体処理装置の少なくとも一方を第１方向と交差する第２方向に移動させるための第２移動機構とをさらに備える。
【０００９】
  この第１の局面による検体処理システムでは，上記の構成によって，第２検体処理装置および第３検体処理装置の少なくとも一方を第１検体処理装置に対して第１方向に移動させることができるだけでなく，第２方向にも移動させることができる。これにより，たとえば，第２検体処理装置および第３検体処理装置の第１方向側に障害物があるような場所に検体処理システムを設置した場合にも，第２検体処理装置および第３検体処理装置の少なくとも一方を第２方向に移動させることによって第１検体処理装置から離間させることができる。これにより，各検体処理装置の修理や保守などを使用者が容易に行なうことできる。したがって，上記第１の局面による検体処理システムでは，障害物などにより設置場所が制限されるのを抑制することができるとともに，検体処理装置の修理や保守などを使用者が容易に行なうことができる。」
（引１ｄ）「【００２１】
  
本発明の一実施形態による血液像自動分析システム１００は，血液塗抹標本作製装置１０１で作製された血液標本（スライドガラス）を標本搬送装置１０２により標本画像撮像装置１０３に搬送し，搬送された血液標本（スライドガラス）の画像を標本画像撮像装置１０３において撮像するとともに，撮像画像をパーソナルコンピュータ１０４によりデジタル画像処理して自動的に血球の分類を行う装置である。
標本搬送装置１０２，標本画像撮像装置１０３およびパーソナルコンピュータ１０４を載置するための基台１
 　・・・
【００３０】
  また，図３に示した分析時配置状態から，図６に示すように，標本搬送装置１０２および標本画像撮像装置１０３を矢印Ｙ１方向にスライド移動させることにより，標本搬送装置１０２および標本画像撮像装置１０３が血液塗抹標本作製装置１０１に対して矢印Ｙ１方向に突出した配置状態に変更可能である。この配置状態では，標本搬送装置１０２と血液塗抹標本作製装置１０１との間の分析時配置状態（図３参照）における対向面（図６に示す斜線（ハッチング）部分）が露出される。また，図６に示した配置状態から，図７に示すように，さらに標本画像撮像装置１０３を矢印Ｘ１方向にスライド移動させることにより，標本搬送装置１０２と標本画像撮像装置１０３との間の分析時配置状態（図３参照）における対向面（図７に示す斜線（ハッチング）部分）が露出されるようにも配置を変更可能である。また，図７に示した配置状態から，図８に示すように，さらに標本搬送装置１０２を矢印Ｘ１方向にスライド移動させることにより，標本搬送装置１０２と血液塗抹標本作製装置１０１との間の分析時配置状態（図３参照）における対向面（図８に示す斜線（ハッチング）部分）が露出されるようにも配置を変更可能である。
　・・・
【００３３】
  本実施形態による基台１は，図２および図９〜図１４に示すように，
血液塗抹標本作製装置１０１が載置される基台１０５（図２参照）の矢印Ｘ１方向側の側部に隣接するように固定的に設置される固定部１０と，固定部１０に固定されており，Ｙ方向に延びるように設けられた２つのスライドレール２０と，スライドレール２０に沿ってＹ方向に移動可能な移動部３０（図１３参照）と，移動部３０に固定されており，Ｘ方向に延びるように設けられた２つのスライドレール４０と，標本画像撮像装置１０３が載置されるとともに，スライドレール４０に沿ってＸ方向に移動可能な移動部５０と，移動部３０に固定されており，Ｘ方向に延びるように設けられた２つのスライドレール６０と，標本搬送装置１０２が載置されるとともに，スライドレール６０に沿ってＸ方向に移動可能な移動部７０とを含んでいる。
【００３４】
  また，図１０に示すように，固定部１０には，移動部３０側に向かって矢印Ｙ１方向に延びるように突出する２つのガイド基端部１１が固定されている。このガイド基端部１１には，ガイド基端部１１に対してＹ方向にスライド可能なスライド部材１２が取り付けられている。また，図１３および図１６に示すように，固定部１０には，２つのスライドレール２０のそれぞれの下方に，移動部３０側に向かって矢印Ｙ１方向に突出する２つの突出片１３が設けられている。また，２つの突出片１３の移動部３０側の先端には，それぞれ，固定部１０と移動部３０とを固定するためのネジ３００（図１３および図１６参照）が挿入されるネジ孔１３ａ（図１６参照）が設けられている。また，
固定部１０の底面には，固定部１０が移動するのを抑制するための複数の支持脚１４が設けられている。
【００３５】
  また，図１５に示すように，
スライドレール２０は，固定部１０の上面に固定されている。
【００３６】
  また，図１５および図１６に示すように，移動部３０は，移動部本体３１と，２つのスライドレール２０に沿ってＹ方向に移動可能な２つの摺動部３２と，移動部本体３１および２つの摺動部３２に固定されるとともに，スライドレール４０および６０が固定される２つのスライドレール支持部材３３と，移動部本体３１の底面に取り付けられ，移動部本体３１を移動可能に支持する複数のキャスター３４とを有する。このように，底面にキャスター３４が取り付けられた移動部本体３１が，スライドレール支持部材３３を介して，Ｙ方向に移動可能な摺動部３２に固定されていることにより，移動部３０は，固定部１０に対してＹ方向にスライド可能に構成されている。
　・・・
【００３８】
  また，摺動部３２は，図２２に示すように，スライドレール支持部材３３に取り付けられる摺動部本体３２ａに，スライドレール２０の底面２０ｂ上を転動するとともに，上方からの荷重を支える金属製のローラ３２ｂと，スライドレール２０の側面２０ｃに沿って転動するとともに，摺動部３２の摺動を円滑に行なうための樹脂製のローラ３２ｃとが取り付けられた構造を有する。この金属製のローラ３２ｂがスライドレール２０の板バネ状の係止部２０ａ（図１５参照）に係止されることによって，固定部１０と移動部３０とが閉じた状態で移動部３０が固定部１０に対して移動するのが抑制される。」
（引１ｅ）図３は，以下のようなものである。
（引１ｆ）図６は，以下のようなものである。
（引１ｇ）図１０は，以下のようなものである。
（引１ｈ）図１５は，以下のようなものである。
　図１５から，
スライドレール４０と，移動部５０と，スライドレール６０と，移動部７０は，いずれも，スライドレール２０よりも上に配置されている
（引１ｉ）図２２は，以下のようなものである。
（引１ｊ）上記（引１ｅ）ないし（引１ｈ）から，
標本搬送装置１０２及び標本画像撮像装置１０３の移動方向は，水平方向である
（２）引用文献１に記載された発明
　上記（引１ｄ）ないし（引１ｊ）の下線部の記載を総合すると，引用文献１には，次の発明（以下，「引用発明」という。）が記載されている。
　なお，引用発明の認定の根拠となった対応する段落番号等を付記した。
「血液塗抹標本作製装置１０１で作製された血液標本（スライドガラス）を標本搬送装置１０２により標本画像撮像装置１０３に搬送し，搬送された血液標本（スライドガラス）の画像を標本画像撮像装置１０３において撮像するとともに，撮像画像をパーソナルコンピュータ１０４によりデジタル画像処理して自動的に血球の分類を行う血液像自動分析システム１００であって，標本搬送装置１０２，標本画像撮像装置１０３およびパーソナルコンピュータ１０４を載置するための基台１は（【００２１】段落），
　血液塗抹標本作製装置１０１が載置される基台１０５の矢印Ｘ１方向側の側部に隣接するように固定的に設置される固定部１０と，固定部１０に固定されており，Ｙ方向に延びるように設けられた２つのスライドレール２０と，スライドレール２０に沿ってＹ方向に移動可能な移動部３０と，移動部３０に固定されており，Ｘ方向に延びるように設けられた２つのスライドレール４０と，標本画像撮像装置１０３が載置されるとともに，スライドレール４０に沿ってＸ方向に移動可能な移動部５０と，移動部３０に固定されており，Ｘ方向に延びるように設けられた２つのスライドレール６０と，標本搬送装置１０２が載置されるとともに，スライドレール６０に沿ってＸ方向に移動可能な移動部７０とを含んでおり（【００３３】段落），
　固定部１０の底面には，固定部１０が移動するのを抑制するための複数の支持脚１４が設けられており（【００３４】段落），
　標本搬送装置１０２及び標本画像撮像装置１０３の移動方向は，水平方向であり（引１ｊ），
　スライドレール２０は，固定部１０の上面に固定されており（【００３５】段落），
　スライドレール４０と，移動部５０と，スライドレール６０と，移動部７０は，いずれも，スライドレール２０よりも上に配置されている（引１ｈ）
　血液像自動分析システム１００」
２　引用文献２について
　当審拒絶理由に引用された，本願の優先日前に頒布された刊行物である，特開２００２−００５９４２号公報（以下，「引用文献２」という。）には，図面とともに次の事項が記載されている。
（引２ａ）「【発明の属する技術分野】本発明は，例えば
血液等の検体についてサンプリング，スライド標本作成等を行なうための検体処理ユニット及び検体処理システム
（引２ｂ）「【００２１】各検体処理ユニット１〜８のユニット筐体１１における左右両側面Ａ，Ｂあるいは前後両側面Ｃ，Ｄには，
隣接する前記検体処理ユニットどうしの左右両側面を相互に密接させて連結するための連結機構２０
【００２２】図２の（ｂ）は機械式連結機構の一例を示す図である。図２の（ｂ）に示す機械式連結機構２０は，連結レバー２３の一端２３ａが一方の検体処理ユニット例えばユニット１に設けられた軸支ピン２１によって回転自在に軸支されており，他端部位２３ｂに設けた係合凹部２３ｃが，他方の検体処理ユニット例えばユニット２に設けられた係止ピン２２に対し，
着脱自在に係合する
【００２３】本実施形態における検体処理システムでは，それぞれ単独運転可能な検体処理ユニット１〜８が処理目的に応じた態様にレイアウトされ，且つ上記のように連結機構２０を介して互いに連結されている。このように連結された状態においては，各ユニット１〜８における検体搬入出レーン１２の各搬入出端Ｐが互いに連結し合い，
システム全体のレーンが一つに繋がった状態
　・・・
【００３２】スライド標本メーカ８は，リアルタイムでスライド標本を作製することが可能である。また遠心塗抹方式を採用することにより均一な標本作製が可能となっている。またヘマトロジー・アナライザーの測定結果に基づいて，標本作製条件を自動的に選択可能である。さらに
自動血液像分析装置とのオンライン接続が可能
（引２ｃ）図２は，以下のようなものである。
第４　当審の判断
１　対比
ア　引用発明の「血液像自動分析システム１００」が具備している「標本搬送装置１０２」及び「標本画像撮像装置１０３」は，それぞれ，「血液塗抹標本作製装置１０１で作製された血液標本（スライドガラス）を」「標本画像撮像装置１０３に搬送」する及び「搬送された血液標本（スライドガラス）の画像を」「撮像する」という，検体の分析のための固有のパートを実施する２のユニットであるから，本願発明における「検体の分析の固有のパートを実施する少なくとも２のユニット」に相当する。
　したがって，引用発明の「血液像自動分析システム１００」は，本願発明における「検体の分析の固有のパートを実施する少なくとも２のユニットを具備する分析装置を含むシステム」に相当する。
イ　引用発明における「固定部１０」が，複数の要素部品の集合で形成されていることは，当業者に明らかであるから，引用発明における「固定部１０」は，本願発明における「第一プラットホームを形成する」「複数のプラットホーム要素が集まって」形成される「第一プラットホーム」に相当する。
ウ　引用発明における「スライドレール４０と，移動部５０と，スライドレール６０と，移動部７０」は，「いずれも，スライドレール２０よりも上に配置されて」おり，「スライドレール２０は，固定部１０の上面に固定されて」いる。
　すなわち，引用発明において「スライドレール４０と，移動部５０と，スライドレール６０と，移動部７０」は，「固定部１０」の上に配置されている。
　したがって，引用発明において「固定部１０」の上に配置されている「スライドレール４０と，移動部５０と，スライドレール６０と，移動部７０」は，本願発明における「第一プラットホーム上にマウントされる第二プラットホーム」に相当する。
エ　引用発明の「固定部１０が移動するのを抑制するため」に「固定部１０の底面に」設けられた「複数の支持脚１４」と，本願発明の「プラットホーム要素を表面上に配置するための複数の脚部であって，個別に高さを調節でき，第一プラットホームの底面に設置される脚部」とは，「第一プラットホームを表面上に配置するための複数の脚部であって，第一プラットホームの底面に設置される脚部」である点で共通している。
オ　引用発明における「標本搬送装置１０２及び標本画像撮像装置１０３の移動方向は，水平方向であ」ることは，本願発明における「第二プラットホームが第一プラットホーム上を水平方向に移動可能であ」ることに相当する。
カ　引用発明の「標本画像撮像装置１０３が」「移動部５０」に「載置され」，「標本搬送装置１０２が」「移動部７０」に「載置され」ていることは，本願発明における「前記分析装置の前記少なくとも２のユニットが，第二プラットホームにマウントされ」ていることに相当する。
キ　上記ア−カから，本願発明と，引用発明とは，以下の一致点で一致し，以下の相違点で相違する。
＜一致点＞
「検体の分析の固有のパートを実施する少なくとも２のユニットを具備する分析装置を含むシステムであって，以下の：
　　ａ．　第一プラットホームを形成する複数のプラットホーム要素が集まって第一プラットホームを形成し；
　　ｂ．　第一プラットホームを表面上に配置するための複数の脚部であって，第一プラットホームの底面に設置される脚部；
　を含み，当該システムが，さらに
　第一プラットホーム上にマウントされる第二プラットホームを含み，第二プラットホームが第一プラットホーム上を水平方向に移動可能であり，ここで前記分析装置の前記少なくとも２のユニットが，第二プラットホームにマウントされる，前記システム。」
＜相違点＞
（相違点１）隣接するユニット間について，本願発明は，「分析装置の１のユニットが，当該ユニットに隣接する少なくとも１のユニットの内の他のユニットに連結される」のに対して，引用発明にはそのような特定がない点。
（相違点２）「脚部」について，本願発明は，「個別に高さを調節でき」るのに対して，引用発明にはそのような特定がない点。
２　判断
（１）相違点１について
ア　処理目的に応じた態様にレイアウトした処理ユニットどうしを固定するために，着脱自在な連結機構によって連結することによって，システム全体を１つに繋がった状態とすることは，当業者にとって周知の技術的事項である（例えば，引用文献２の上記「第３　２」で摘記した下線部には，自動血液像分析装置とのオンライン接続が可能な，血液等の検体についてサンプリング，スライド標本作成等を行なうための検体処理ユニット及び検体処理システムにおいて，隣接する前記検体処理ユニットどうしの左右両側面を相互に密接させて連結するための，着脱自在な連結機構を設けて，システム全体のレーンが一つに繋がった状態とすることが記載されている。）。
　そして，引用発明においても，分析時配置状態（【００３０】段落，図３）において，システム全体のレーンが一つに繋がった状態とするために，「標本搬送装置１０２と，標本画像撮像装置１０３と」が互いにずれないように固定する必要があることは，当業者に自明の課題である。
イ　また，引用文献１には，【００３０】段落及び図６に，「標本搬送装置１０２および標本画像撮像装置１０３を矢印Ｙ１方向にスライド移動させることにより，標本搬送装置１０２および標本画像撮像装置１０３が血液塗抹標本作製装置１０１に対して矢印Ｙ１方向に突出した配置状態に変更可能である。この配置状態では，標本搬送装置１０２と血液塗抹標本作製装置１０１との間の分析時配置状態における対向面（図６に示す斜線（ハッチング）部分）が露出される」ことが記載されている。
　そして，一体として移動する２つの装置について，移動中に互いに連結する等して同時に安定して移動させる方が好ましいことは，当業者に自明である。
ウ　したがって，引用発明において，上記周知技術を採用して，隣接する「標本搬送装置１０２と，標本画像撮像装置１０３と」を，連結部によって連結する構成とすることは，当業者であれば容易に想到しうることである。
（２）相違点２について
　複数の支持脚によって設置面上に設置される装置において，支持脚の高さを個別に調整可能とすることで，装置設置時の水平面調節などを行なえるようにすることは，当業者にとって周知の技術的事項である。
　したがって，引用発明において，装置設置時の水平面調節などを行なうために，「複数の支持脚１４」を「個別に高さを調節でき」るものとして，相違点２に係る本願発明の構成とすることは，当業者であれば容易に想到しうることである。
（３）本願発明の効果について
　本願発明の効果は，引用発明，及び周知の技術的事項から当業者が予測しうる範囲内のものにすぎず、格別顕著なものではない。
（４）小括
　上記（１）−（３）から，本願発明は，引用発明及び周知の技術的事項に基づいて当業者が容易に発明をすることができたものであるというべきである。
第５　むすび
　以上のとおり，本願発明は，特許法第２９条第２項の規定により特許を受けることができないから，他の請求項について検討するまでもなく，本願は拒絶をすべきものである。
　よって，結論のとおり審決する。